(57)【要約】【課題】本発明は、モータによる回転を制御することで回転駆動機構によってディスプレイ部を回転させたときの揺れを抑制した薄型ディスプレイ装置を提供することを目的とする。【解決手段】スイーベル機構による駆動を開始する際、電源電圧供給回路１４からモータドライブ用ＩＣ１２に供給する電圧を段階的に切り換えて、その電圧値を高くする。これにより、モータドライブＩＣ１２によるモータ１３の動作電圧を段階的に高くなるように切り換え、ディスプレイ部の揺れを抑えることができる。【選択図】図３
2008182620.tif 000002
【特許請求の範囲】
【請求項１】
画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、
動作を指示するリモートコントローラから送信される前記スイーベル機構の駆動を指示する赤外線信号を受信する赤外線受信部と、
該赤外線受信部で受信した赤外線信号を制御信号に変換する信号変換部と、
該信号変換部からの前記制御信号を解析することで指示された内容を確認する主制御部と、
該主制御部から信号が与えられて前記モータを駆動するモータドライバと、
前記主制御部から信号が与えられて前記モータドライバから供給される前記モータの動作電圧を切り換える電圧切換信号を生成する動作電圧制御部と、
を備え、
前記主制御部が、前記赤外線受信部で受信した前記リモートコントローラからの前記赤外線信号に基づいて前記スイーベル機構の駆動を開始することを認識したとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする薄型ディスプレイ装置。
【請求項２】
画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、
動作を指示するリモートコントローラから送信される前記スイーベル機構の駆動を指示する赤外線信号を受信する赤外線受信部と、
前記モータを駆動するモータドライバと、
前記モータドライバから供給される前記モータの動作電圧を切り換える電圧切換信号を生成する動作電圧制御部と、
を備え、
前記スイーベル機構の駆動を開始するとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする薄型ディスプレイ装置。
【請求項３】
前記動作電圧制御部が前記モータドライバに供給されるバイアス電圧の値を切り換えることによって、前記モータドライバからの前記動作電圧を切り換えることを特徴とする請求項２に記載の薄型ディスプレイ装置。
【請求項４】
前記モータドライバが前記モータの動作電圧を切り換える制御端子を備え、前記動作電圧制御部から前記モータドライバの前記制御端子に与える信号の値を切り換えることによって、前記モータドライバからの前記動作電圧を切り換えることを特徴とする請求項２に記載の薄型ディスプレイ装置。
【請求項５】
前記動作電圧制御部がデジタルアナログ変換回路によって構成され、前記動作電圧を指示するデジタル信号が前記動作電圧制御部によってアナログ信号に変換されて前記モータドライバに供給されることを特徴とする請求項３又は請求項４に記載の薄型ディスプレイ装置。
【発明の詳細な説明】
【技術分野】
【０００１】
本発明は、液晶方式、プラズマ方式、リアプロジェクション方式などの各種方式によりディスプレイ部を薄型とした薄型ディスプレイ装置に関するもので、特に、ディスプレイ部を水平方向に回転駆動させる回転駆動機構（スイーベル機構）を備えた薄型ディスプレイ装置に関する。
【背景技術】
【０００２】
従来より、ディスプレイ装置において、映像が再生表示されるディスプレイ部を水平方向に回転駆動させるために、モータによる回転力を伝達してディスプレイ部を回転させる回転駆動機構（スイーベル機構）を備えるものがある。このような回転駆動機構として、ブラウン管によりディスプレイ部が構成されたディスプレイ装置に対して形成されたもの（特許文献１〜特許文献３参照）だけでなく、最近では、液晶方式、プラズマ方式、リアプロジェクション方式などの各種方式によりディスプレイ部を薄型とした薄型ディスプレイ装置に形成されたもの（特許文献４参照）も提案されている。
【０００３】
特許文献２の回転駆動機構によると、ディスプレイ部が回転駆動しているときに障害物に当たった場合に、回転動作の停止や適切な制御を行うことができるように、駆動モータの運転時の負荷電流の大小に応じて電磁クラッチを制御する構成としている。即ち、障害物に当たっているときに駆動モータの負荷電流が大きくなることにより、この負荷電流に基づいて障害物に当たっていることを検出し、電磁クラッチを切ることで、ディスプレイ部の回転を停止させる。
【０００４】
又、特許文献３の回転駆動機構によると、大型となるディスプレイ装置に対して、回転させるために必要なトルクを確保するために、トルクが小さい小型直流モータに高いギア比の動力伝達経路を用いていたものに代わり、低速回転・高トルクを容易に得ることのできるステッピングモータを備えるものとしている。このように、ステッピングモータを備えるものとすることで、動力伝達経路のギア比を小さくすることでき、その構造を簡単化することができるために、回転駆動機構の構造を単純化することができる。更に、特許文献４の回転駆動機構では、ステッピングモータを備えたものとし、薄型ディスプレイ装置のディスプレイ部を水平方向及びチルト方向それぞれについて回転させるスイーベル・チルト機構として構成されている。
【特許文献１】実開昭６３−１２４７７５号公報
【特許文献２】実開平０３−０４２１８６号公報
【特許文献３】特開平０４−０６１５７５号公報
【特許文献４】特開２００４−３０４６７９号公報
【発明の開示】
【発明が解決しようとする課題】
【０００５】
上述の回転駆動機構において、薄型ディスプレイ装置に対して設置される場合、水平方向に回転駆動させるスイーベル機構部分を駆動させるとき、回転駆動機構を備えて薄型テレビジョン装置が床側に設置される場合、ディスプレイ部の重心が高いことによって、回転動作の開始や停止によって装置全体に揺れが生じる。特に、このスイーベル機構によってディスプレイ部を水平方向に回転開始させた直後に停止させたとき、ディスプレイ部に生じる揺れが大きくなる。このような慣性などの影響による揺れについて、特許文献３では、回転軸の上部の周囲にできる隙間に板バネを装着するなどして機械的に防ぐ方法が使用されている。しかしながら、このような機械的な方法によって、ディスプレイ部に生じる揺れの防止を行うことには限界がある。
【０００６】
このような問題を鑑みて、本発明は、モータによる回転を制御することで回転駆動機構によってディスプレイ部を回転させたときの揺れを抑制した薄型ディスプレイ装置を提供することを目的とする。
【課題を解決するための手段】
【０００７】
上記目的を達成するために、本発明の薄型ディスプレイ装置は、画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、動作を指示するリモートコントローラから送信される前記スイーベル機構の駆動を指示する赤外線信号を受信する赤外線受信部と、該赤外線受信部で受信した赤外線信号を制御信号に変換する信号変換部と、該信号変換部からの前記制御信号を解析することで指示された内容を確認する主制御部と、該主制御部から信号が与えられて前記モータを駆動するモータドライバと、前記主制御部から信号が与えられて前記モータドライバから供給される前記モータの動作電圧を切り換える電圧切換信号を生成する動作電圧制御部と、を備え、前記主制御部が、前記赤外線受信部で受信した前記リモートコントローラからの前記赤外線信号に基づいて前記スイーベル機構の駆動を開始することを認識したとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする。
【０００８】
又、本発明の薄型ディスプレイ装置は、画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、動作を指示するリモートコントローラから送信される前記スイーベル機構の駆動を指示する赤外線信号を受信する赤外線受信部と、前記モータを駆動するモータドライバと、前記モータドライバから供給される前記モータの動作電圧を切り換える電圧切換信号を生成する動作電圧制御部と、を備え、前記スイーベル機構の駆動を開始するとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする
このような薄型ディスプレイ装置において、前記動作電圧制御部が前記モータドライバに供給されるバイアス電圧の値を切り換えることによって、前記モータドライバからの前記動作電圧を切り換えるものとしても構わない。又、前記モータドライバが前記モータの動作電圧を切り換える制御端子を備え、前記動作電圧制御部から前記モータドライバの前記制御端子に与える信号の値を切り換えることによって、前記モータドライバからの前記動作電圧を切り換えるものとしても構わない。
【０００９】
そして、前記動作電圧制御部がデジタルアナログ変換回路によって構成され、前記動作電圧を指示するデジタル信号が前記動作電圧制御部によってアナログ信号に変換されて前記モータドライバに供給されるものとしても構わない。
【発明の効果】
【００１０】
本発明によると、スイーベル機構の駆動開始時において、モータに与える動作電圧を段階的に高くなるように切り換えることができる。そのため、モータのトルクを徐々に変化させて、その回転速度の加速を緩やかに行うことができる。又、スイーベル機構の駆動開始直後に停止させた場合には、モータのトルクが低いときに停止動作がなされることとなる。よって、スイーベル機構によってディスプレイ部を回転させたときに生じる反動を抑制し、その揺れを小さいものとすることができる。
【発明を実施するための最良の形態】
【００１１】
本発明の実施の形態について、薄型ディスプレイ装置の一つである薄型テレビジョン装置を例示して、図面を参照して説明する。図１は、本実施形態の薄型テレビジョン装置の外観構成を示す概略斜視図である。図３は、図１の薄型テレビジョン装置のスイーベル機構の構成を示すブロック図である。
【００１２】
本実施形態の薄型テレビジョン装置は、図１に示すように、映像を再生出力する画面となるディスプレイ部１と、ディスプレイ部１の画面反対側となる裏側における底辺側中央に接続される支持部２と、支持部２と接続されて水平方向に回転駆動する軸を備えた駆動部３と、この駆動部３が上部に設置される台座４と、を備える。即ち、台座４上部中央に位置するように、軸方向が水平方向に対して垂直となる駆動部３が設けられ、この駆動部３の台座４と逆側となる位置に支持部２が構成される。そして、支持部２がディスプレイ部１の裏側に接続されることで、設置面積の広い台座４により薄型テレビジョン装置が倒れないように支持することができる。
【００１３】
又、駆動部３内部には、不図示であるが、水平方向に回転する軸と、この軸を回転させるためのモータと、モータからの回転力を伝達させるためのギアなどの動力伝達機構とが設けられ、これらの構成により、スイーベル機構が構成される。即ち、この駆動部３内部に設けられたスイーベル機構が動作することによって、ディスプレイ部１を水平方向に回転させることができる。尚、駆動部３において、水平方向に対して略垂直な方向（チルト方向）にディスプレイ部１を傾けるチルト機構が備えられるものとしても構わない。
【００１４】
更に、このように構成される薄型テレビジョン装置は、赤外線信号を送信することで動作指示を行うリモートコントローラ（リモコン）５によって操作されるとともに、ディスプレイ部１の画面が設けられる表側において、リモコン５からの赤外線信号を受信する赤外線受信部６を備える。このリモコン５が操作されることで、リモコン５より送信される赤外線信号を薄型テレビジョン装置内部のマイクロコンピュータ（マイコン）が指示内容を認識する。そして、赤外線受信部６で受信した赤外線信号を解析した結果に基づいて、薄型テレビジョン装置内部のチューナ回路（不図示）による選局動作や、スピーカ７による音量切換や、駆動部３のディスプレイ部１に対する回転駆動動作などが制御される。
【００１５】
又、リモコン５は、図２に示すように、受信するチャンネルを選択するためのチャンネルボタン５１と、ディスプレイ部１を水平方向やチルト方向に駆動させる駆動指示用ボタン５２と、押下されたボタンに応じた赤外線信号を送信する赤外線送信部５３とを備える。そして、駆動指示用ボタン５２の一つが押し続けられることによって、押下されているボタンに応じた方向にディスプレイ部１が駆動するように、駆動部３が動作する。
【００１６】
このように構成される薄型テレビジョン装置のスイーベル機構について、図３のブロック図を参照して以下に説明する。
【００１７】
図３に示すスイーベル機構は、リモコン５からの赤外線信号を受信する赤外線受信部６からの信号を復調して信号変換する信号変換部１０と、信号変換部１０からの制御信号を解析するマイクロコンピュータ部（マイコン部）１１と、マイコン部１１によって制御されるモータドライブ用ＩＣ１２と、モータドライブ用ＩＣ１２によって駆動されるモータ１３と、モータドライブ用ＩＣ１２に電源電圧を供給する電源電圧供給回路１４と、を備える。
【００１８】
そして、マイコン部１１からモータドライブ用ＩＣ１２に対して、モータ１３を正転させる正転制御信号と、モータ１３を反転させる反転制御信号とが送出される。この正転制御信号及び反転制御信号が与えられるモータドライブ用ＩＣ１２によりモータ１３が動作することで、駆動部３のスイーベル機構が動作してディスプレイ部１を水平方向に回転させる。又、モータドライブ用ＩＣ１２は、モータ１３のモータコイルに接続されるインバータ回路（不図示）を備え、正転制御信号及び反転制御信号がインバータ回路（不図示）を構成するトランジスタスイッチの制御端子に入力されることで、モータ１３の正転及び反転が設定される。
【００１９】
又、モータドライブ用ＩＣ１２には、インバータ回路（不図示）を接地するグランド端子（図３の符号ＧＮＤ）と電源電圧が供給される電圧供給端子（図３の符号＋Ｂ）とが備えられる。そして、グランド端子が接地されるとともに、電源電圧供給回路１４から出力される電圧が電圧供給端子に供給されることで、インバータ回路（不図示）がバイアスされることとなる。更に、電源電圧供給回路１４からの出力電圧の値がマイコン部１１からの制御信号によって切り換えられて、モータドライブ用ＩＣ１２の電圧供給端子に与えられる。モータドライブ用ＩＣ１２の電圧供給端子に与えられる電圧値によって、モータ１３によるトルクが変動する。即ち、電源電圧供給回路１４からの出力電圧が高いと、モータ１３によるトルクが大きくなる。
【００２０】
電源電圧供給回路１４の構成例について、図４のブロック図を参照して説明する。図４に示すように、電源電圧供給回路１４は、マイコン部１１からの制御信号が抵抗Ｒ１を介してベースに与えられるとともにエミッタが接地されたＮＰＮ型トランジスタＴ１と、トランジスタＴ１のコレクタにアノードが接続されたツェナーダイオードＤ１と、ツェナーダイオードＤ１のカソードにカソードが接続されるとともにアノードが接地されたツェナーダイオードＤ２と、ツェナーダイオードＤ１，Ｄ２のカソードにベースが接続されるとともに電圧ＶＤＤがコレクタに供給されるＮＰＮ型トランジスタＴ２と、トランジスタＴ２のベース及びコレクタ間に接続された抵抗Ｒ２と、を備える。
【００２１】
そして、ツェナーダイオードＤ２のアノードが接地されるとともに、トランジスタＴ２のエミッタがモータドライブ用ＩＣ１２の電圧供給端子に接続される。又、ツェナーダイオードＤ２のツェナー電圧をＶ１（例えば、１２Ｖ）としたとき、ツェナーダイオードＤ１のツェナー電圧がＶ１／２（例えば、６Ｖ）となるように設定される。
【００２２】
このように構成することで、トランジスタＴ１がＯＦＦのときは、クランプとして動作するトランジスタＴ２を介して、ツェナーダイオードＤ２のツェナー電圧Ｖ１がモータドライブ用ＩＣ１２の電圧供給端子に供給される。逆に、トランジスタＴ１がＯＮのときは、クランプとして動作するトランジスタＴ２を介して、ツェナーダイオードＤ１のツェナー電圧Ｖ１／２がモータドライブ用ＩＣ１２の電圧供給端子に供給される。尚、ツェナーダイオードＤ１のツェナー電圧をＶ１／２としたが、ツェナーダイオードＤ２のツェナー電圧Ｖ１より低い電圧であれば、Ｖ１／２と異なる値としても構わない。
【００２３】
この電源電圧供給回路１４を備えたスイーベル機構による動作について、図５のタイミングチャートを参照して説明する。リモコン５が操作されると、操作に応じた赤外線信号が赤外線受信部６で受信される。そして、赤外線受信部６で受信した赤外線信号が電気信号に変換されて信号変換部１０に与えられる。信号変換部１０では、赤外線受信部６からの電気信号を復調して信号変換すると、信号変換された信号がマイコン部１１に与えられることにより、リモコン５からの赤外線信号が解析される。
【００２４】
よって、図５に示すように、リモコン５の駆動指示用ボタン５２が押下されて、赤外線送信部５３からモータ１３の正転又は反転を指示する赤外線信号が発信されると、マイコン部１１によって、リモコン５からの赤外線信号を解析することで、モータ１３の正転又は反転が指示されたことを認識する。そして、モータ１３を駆動するための正転制御信号又は反転制御信号が、マイコン部１１からモータドライブ用ＩＣ１２に出力される。このようにして、リモコン５からの赤外線信号が与えられて、マイコン部１１が正転制御信号又は反転制御信号の出力を開始すると同時に、マイコン部１１から電源電圧供給回路１４に与えられる制御信号がハイとなる。
【００２５】
これにより、電源電圧供給回路１４では、ハイとなる制御信号がマイコン部１１より与えられて、トランジスタＴ１がＯＮとなるため、ツェナーダイオードＤ１が動作することで、ツェナーダイオードＤ１のツェナー電圧Ｖ１／２がモータドライブ用ＩＣ１２の電圧供給端子に与えられる。これにより、モータ１３が低いトルクで正転又は反転を行い、ディスプレイ部１を水平方向に左又は右に回転させる。
【００２６】
その後、正転又は反転を指示する赤外線信号がリモコン５から送信されたままの状態で所定時間Ｔａが経過すると、この所定時間Ｔａをマイコン部１１がタイマ計測することで確認する。そして、マイコン部１１が、電源電圧供給回路１４に与えられる制御信号をローとすることで、電源電圧供給回路１４内のトランジスタＴ１をＯＦＦとする。これにより、ツェナーダイオードＤ１が動作しなくなるため、ツェナーダイオードＤ２の作用によって、ツェナーダイオードＤ２のツェナー電圧Ｖ１がモータドライブ用ＩＣ１２の電圧供給端子に与えられる。よって、モータ１３が高いトルクで正転又は反転を行い、ディスプレイ部１を水平方向に左又は右に回転させる。
【００２７】
そして、ユーザがリモコン５の駆動指示用ボタン５２の押下をやめることで、赤外線送信部５３からの正転又は反転を指示する赤外線信号の送信が停止されると、赤外線受信部６での赤外線信号の受信がなくなるため、マイコン部１１では、信号変換部１０からの信号入力が検出されなくなる。よって、マイコン部１１において、モータ１３の回転を停止することが確認される。これにより、正転制御信号又は反転制御信号の出力が停止されることにより、モータドライブ用ＩＣ１２の動作を停止する。よって、モータドライブ用ＩＣ１２によるモータ１３の回転制御が停止するため、モータ１３の回転が停止して、ディスレプレイ部１の回転動作が停止する。
【００２８】
このように、本実施形態によると、ディスプレイ部１の回転動作を開始する際、モータドライブ用ＩＣ１２に与えるバイアス電圧を段階的に高くすることで、モータドライブ用ＩＣ１２によるモータ１３の動作電圧が段階的に高くなり、モータ１３のトルクを段階的に大きくすることができる。これにより、ディスプレイ部１の回転を開始したときに生じる反動を抑制することができるだけでなく、回転を開始した直後に停止させたときにはモータ１３のトルクが弱いためにその揺れを抑制することができる。
【００２９】
尚、本実施形態において、モータドライブ用ＩＣ１２に電圧供給端子に供給される電圧値を変換することで、モータ１３の動作電圧及びトルクを段階的に切り換えるものとしたが、図６のように、モータドライブ用ＩＣ１２からモータ１３のトルクを変更するための動作電圧を切り換えるための制御端子（図中のＣＮＴ）を備える場合、この制御端子への制御信号の値をマイコン部１１で切り換えて出力するものとしても構わない。
【００３０】
このとき、モータドライブ用ＩＣ１２の制御端子に入力される信号が電圧値又は電流値によるアナログ信号であるため、マイコン部１１から出力されるデジタル信号をアナログ信号に変換するデジタルアナログ変換回路（ＤＡＣ回路）１５が設けられる。このＤＡＣ回路１５は、マイコン部１１からのパラレル信号となるデジタル信号をアナログ信号に切り換えるものであっても構わないし、マイコン部１１からのシリアル信号となるデジタル信号をアナログ信号に切り換えるものであっても構わない。
【００３１】
又、電源電圧供給回路１４において、二つのツェナーダイオードＤ１，Ｄ２の作用を制御することで、モータドライブ用ＩＣ１２の電圧供給端子に入力される電圧値を２つの電圧値で切り換えるものとしたが、３つ以上の異なる電圧値を切り換えてモータドライブ用ＩＣ１２の電圧供給端子に供給するものとしても構わない。更に、モータドライブ用ＩＣ１２の動作電圧を複数段階に切り換えてモータ１３のトルクの大きさを複数段階に切り換えるものであれば、図６のような構成のような、モータドライブ用ＩＣ１２の制御端子に与える制御信号の値を複数段階に切り換えるものであっても構わない。
【００３２】
これらのように複数段階でモータドライブ用ＩＣ１２の動作電圧を切り換える場合、図７に示すように、リモコン５からの赤外線信号が受信されると、所定時間Ｔ毎にモータドライブ用ＩＣ１２によるモータ１３の動作電圧を順次高くする。そして、リモコン５からの赤外線信号が受信されなくなると、モータドライブ用ＩＣ１２の動作を停止し、モータ１３の駆動を停止させる。
【００３３】
又、図８に示すように、モータドライブ用ＩＣ１２の電圧供給端子にスイッチＳＷを接続し、マイコン部１１がリモコン５からの赤外線信号の受信を確認したとき、マイコン部１１によってスイッチＳＷがＯＮとされ、逆に、マイコン部１１がリモコン５からの赤外線信号の受信を確認しないときは、マイコン部１１によってスイッチＳＷがＯＦＦとされるものとしても構わない。これにより、モータドライブ用ＩＣ１２への電圧供給がなくなるため、モータドライブ用ＩＣ１２を確実に停止することができる。
【００３４】
又、上述において、モータドライブ用ＩＣ１２に電圧供給端子に供給される電圧値を切り換えるものについては、図３及び図４や図８で示す構成を例示し、又、モータドライブ用ＩＣ１２の制御端子に入力される信号の値を切り換えるものについては、図６で示す構成を例示した。しかしながら、モータ１３の回転の開始又は停止において、図５や図７に示すように、モータドライブ用ＩＣ１２のモータ１３に対する動作電圧が段階的に変化するように制御するものであれば、異なる構成のものとしても構わない。
【００３５】
更に、リモコン５の駆動指示用ボタン５２について、押下されている間に駆動部３の駆動を指示する赤外線信号が送信されるものとしたが、１回目の押下で赤外線信号の送信が開始し、２回目の押下で赤外線信号の送信が停止するものとしても構わない。又、駆動指示用ボタン５２の操作によって、駆動部３の駆動及び停止が指示される際、駆動部３の駆動開始を指示する赤外線信号と、駆動部３の駆動停止を指示する赤外線信号とが送信されるものとしても構わない。
【産業上の利用可能性】
【００３６】
本発明は、実施形態で説明した薄型テレビジョン装置に限らず、コンピュータなどの画像を再生する表示装置を含む薄型ディスプレイ装置にも適用することができる。又、薄型ディスプレイ装置として、液晶方式、プラズマ方式、リアプロジェクション方式、薄型ブラウン管方式、有機ＥＬ（Electro Luminescence）方式、ＳＥ（Surface-conduction Electron-emitter）方式などの各種方式による薄型ディスプレイ装置に適用可能である。又、リモコン５によって駆動されるものとしたが、薄型ディスプレイ装置本体に操作部を設け、この操作部が操作されることによって、チャンネル選局動作や駆動部３によるディスプレイ部１の駆動動作が指示されるものとしても構わない。
【図面の簡単な説明】
【００３７】
【図１】は、本発明の実施形態の薄型テレビジョン装置の外観構成を示す概略斜視図である。
【図２】は、図１の薄型テレビジョン装置におけるリモコンの構成を示す概略図である。
【図３】は、図１の薄型テレビジョン装置のスイーベル機構の構成を示すブロック図である。
【図４】は、図３のスイーベル機構における電源電圧供給回路の構成を示すブロック図である。
【図５】は、リモコンからの制御信号の変遷と電源電圧供給回路から出力される電圧値の変遷との関係を示すタイミングチャートである。
【図６】は、図１の薄型テレビジョン装置のスイーベル機構の別の構成を示すブロック図である。
【図７】は、リモコンからの制御信号の変遷と図４の電源電圧供給回路から出力される電圧値の変遷との別の関係を示すタイミングチャートである。
【図８】は、図１の薄型テレビジョン装置のスイーベル機構の別の構成を示すブロック図である。
【符号の説明】
【００３８】
１    ディスプレイ部
２    支持部
３    駆動部
４    台座
５    リモコン
６    赤外線受信部
１０    信号変換部
１１    マイコン部
１２    モータドライブ用ＩＣ
１３    モータ
１４    電源電圧供給回路
１５    ＤＡＣ回路
【図１】
2008182620.tif 000003
【図２】
2008182620.tif 000004
【図３】
2008182620.tif 000005
【図４】
2008182620.tif 000006
【図５】
2008182620.tif 000007
【図６】
2008182620.tif 000008
【図７】
2008182620.tif 000009
【図８】
2008182620.tif 000010
【手続補正書】
【提出日】平成20年3月5日(2008.3.5)
【手続補正１】
【補正対象書類名】特許請求の範囲
【補正対象項目名】請求項２
【補正方法】変更
【補正の内容】
【請求項２】
画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、
前記モータを駆動するモータドライバと、
前記モータドライバから供給される前記モータの動作電圧を切り換える電圧切換信号を生成する動作電圧制御部と、
を備え、
前記スイーベル機構の駆動を開始するとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする薄型ディスプレイ装置。
【手続補正２】
【補正対象書類名】明細書
【補正対象項目名】０００８
【補正方法】変更
【補正の内容】
【０００８】
又、本発明の薄型ディスプレイ装置は、画像を表示する画面を備えたディスプレイ部と、該ディスプレイ部を支持する台座部と、該台座部と前記ディスプレイ部とを接続する接続部と、前記接続部に設けられるとともに前記ディスプレイ部を水平方向に回転させるスイーベル機構と、前記スイーベル機構に回転力を与えるモータと、を備える薄型ディスプレイ装置において、前記モータを駆動するモータドライバと、前記モータドライバから供給される前記モータの動作電圧を切り換える電圧切換信号を生成する動作電圧制御部と、を備え、前記スイーベル機構の駆動を開始するとき、前記動作電圧制御部からの前記電圧切換信号によって前記モータドライバからの供給される前記動作電圧が段階的に切り換えられて高くなり、駆動開始から所定時間経過後に前記動作電圧が最大値とされることを特徴とする。
このような薄型ディスプレイ装置において、前記動作電圧制御部が前記モータドライバに供給されるバイアス電圧の値を切り換えることによって、前記モータドライバからの前記動作電圧を切り換えるものとしても構わない。又、前記モータドライバが前記モータの動作電圧を切り換える制御端子を備え、前記動作電圧制御部から前記モータドライバの前記制御端子に与える信号の値を切り換えることによって、前記モータドライバからの前記動作電圧を切り換えるものとしても構わない。